(57)【要約】【課題】樹脂封止前に回路基板に安定して支持される基板用コネクタを提供する。【解決手段】基板用コネクタ１０のハウジング２０の後面から端子金具６０が引き出され、引き出された端子金具６０が回路基板９０に固定される。回路基板９０はケース５０内に挿入され、ケース５０内に導入される樹脂７０によって回路基板９０とともに端子金具６０の引き出し部分を含むハウジング２０の後部側が封止される。ハウジング２０には、回路基板９０に設けられた孔９２に対し回路基板９０の表面側から裏面側へと挿通され、裏面側において回路基板９０の孔９２の縁部に係止されることにより、回路基板９０に対するハウジング２０の前倒れを規制する倒れ規制部材８０が設けられている。【選択図】図２
2015079714.tif 000002
【特許請求の範囲】
【請求項１】
端子金具が装着されるハウジングを備え、前記ハウジングの後面から引き出された前記端子金具が回路基板に接続され、その状態で、前記回路基板がケース内に挿入され、前記ケース内に導入される樹脂によって前記回路基板とともに前記端子金具の引き出し部分を含む前記ハウジングの後部側が封止される基板用コネクタであって、
前記ハウジングには、前記回路基板に設けられた孔に対し前記回路基板の表面側から裏面側へと挿通され、前記裏面側において前記回路基板の孔の縁部に係止されることにより、前記回路基板に対する前記ハウジングの前倒れを規制する倒れ規制部材が取り付けられていることを特徴とする基板用コネクタ。
【請求項２】
前記倒れ規制部材が、前記ハウジングとは別体の金属板からなり、前記ハウジングの後部側に装着されることを特徴とする請求項１記載の基板用コネクタ。
【請求項３】
前記倒れ規制部材が、前記回路基板の孔の縁部のうち、後方に位置する後縁部に係止される係止爪を有していることを特徴とする請求項１又は２記載の基板用コネクタ。
【発明の詳細な説明】
【技術分野】
【０００１】
本発明は、基板用コネクタに関する。
【背景技術】
【０００２】
特許文献１の基板用コネクタは、端子金具が装着されるハウジングと、ハウジングに取り付けられ、回路基板に設けられた貫通孔に対して回路基板の表面側から裏面側へと挿通される係止板とを備えている。端子金具は、ハウジングの後面から引き出され、その引き出し部分が回路基板のスルーホールに差し込まれて回路基板の導体部と半田付けにより接続される。また、係止板は、ハウジングの側面に嵌着され、貫通孔内に充填される半田を介して、回路基板に固定される。同時に、ハウジングも、係止板を介して、回路基板に固定される。
【先行技術文献】
【特許文献】
【０００３】
【特許文献１】特開２００７−４２６２６号公報
【発明の概要】
【発明が解決しようとする課題】
【０００４】
ところで、この種の基板用コネクタの中には、回路基板がケース内に挿入され、ケース内に導入される樹脂によって回路基板とともに端子金具の引き出し部分を含むハウジングの後部側が樹脂封止される構成のものが知られている。かかる構成によれば、樹脂を介してハウジングが回路基板に一体に固定されるため、樹脂封止後は、係止板のような強固な固定手段を必要としない。一方、樹脂封止前は、半田接続されるまでの間に貫通孔内で係止板が前後方向に遊動して傾き得るため、基板用コネクタが回路基板に安定に支持されず、ハウジングが前倒れするおそれがある。仮に、ハウジングが前倒れすると、端子金具が回路基板から浮き上がって回路基板に半田接続されないおそれがある。
【０００５】
本発明は上記のような事情に基づいて完成されたものであって、樹脂封止前に回路基板に安定して支持される基板用コネクタを提供することを目的とする。
【課題を解決するための手段】
【０００６】
本発明は、端子金具が装着されるハウジングを備え、前記ハウジングの後面から引き出された前記端子金具が前記回路基板に接続され、その状態で、前記回路基板がケース内に挿入され、前記ケース内に導入される樹脂によって前記回路基板とともに前記端子金具の引き出し部分を含む前記ハウジングの後部側が樹脂封止される基板用コネクタであって、前記ハウジングには、前記回路基板に設けられた孔に対し前記回路基板の表面側から裏面側へと挿通され、前記裏面側において前記回路基板の孔の縁部に係止されることにより、前記回路基板に対する前記ハウジングの前倒れを規制する倒れ規制部材が取り付けられているところに特徴を有する。
【発明の効果】
【０００７】
倒れ規制部材が回路基板の孔に表面側から裏面側へと挿通され、裏面側において回路基板の孔の縁部に係止されることにより、回路基板に対するハウジングの前倒れが規制されるため、樹脂封止前に基板用コネクタが回路基板に安定して支持される。
【図面の簡単な説明】
【０００８】
【図１】実施例の基板用コネクタの背面図である。
【図２】図１のＡ−Ａ断面図である。
【図３】基板用コネクタの平面図である。
【図４】基板用コネクタの側面図である。
【図５】ハウジングの後部側がケース内に挿入されて樹脂封止された基板用コネクタの断面図である。
【発明を実施するための形態】
【０００９】
本発明の好ましい形態を以下に示す。
前記倒れ規制部材が、前記ハウジングとは別体の金属板からなり、前記ハウジングの後部側に装着される。倒れ規制部材がこのような構成であれば、基板用コネクタ全体の重心を後部寄りに偏心させることができ、ハウジングの前倒れがより確実に防止される。
【００１０】
前記倒れ規制部材が、前記回路基板の孔の縁部のうち、後方に位置する後縁部に係止される係止爪を有している。かかる係止爪が回路基板の孔の後縁部に係止されることにより、ハウジングの前倒れがより確実に防止される。
【００１１】
＜実施例＞
本発明の実施例を図１〜図５によって説明する。実施例の基板用コネクタ１０は、プリント回路基板（以下、回路基板９０という）に実装されるものであって、合成樹脂製のハウジング２０と、金属製の端子金具６０と、同じく金属製の倒れ規制部材８０とを備えている。ハウジング２０は、図示しない相手ハウジングと嵌合可能とされる。なお、以下の説明において、前後方向については、嵌合開始時に相手ハウジングと向き合う側を前方とし、上下方向については、図３を除く各図を基準とする。
【００１２】
ハウジング２０は、図５に示すように、前方に開口する筒状のフード部２１を有している。フード部２１は、幅方向（図１の左右方向）に長手となる開口形状を呈している。図１に示すように、フード部２１の下面及び上面は、幅方向中央部から両側へ向けて弧状に緩やかに傾斜する曲面となっている。また、フード部２１の奥壁２２には、端子金具６０が装着される複数の端子装着部２３が設けられている。各端子装着部２３は、奥壁２２において幅方向及び上下方向に同列に並んで配置されている。
【００１３】
図５に示すように、端子金具６０は、細長いピン状をなし、端子装着部２３を貫通してフード部２１内に突出する端子接続部６１と、フード部２１外に突出する引出部６２とを有している。引出部６２は、奥壁２２の後面から後方へ引き出されたあと下方へ屈曲させられ、その下端部でさらに後方へ屈曲させられて回路基板９０の表面に沿って配置される基板接続部６３を有している。図１に示すように、各端子金具６０の引出部６２は、上下に並んだ端子装着部２３のそれぞれで互いに幅方向にずれた位置から引き出され、相互の干渉を回避可能とされている。
【００１４】
図１及び図３に示すように、フード部２１の後端の幅方向両端部には、各端子金具６０の引出部６２を挟んだ両側に、一対の保護壁２４が後方へ突出して設けられている。各端子金具６０の引出部６２は、両保護壁２４により側方から覆われて保護された状態となる。また、フード部２１の上面の幅方向中央部には、ロック部２５が突出して設けられている。ハウジング２０が相手ハウジングに正規嵌合されると、ロック部２５が図示しない相手ハウジングのロック受け部を係止して、両ハウジングが嵌合状態に保持されるようになっている。
【００１５】
また、図３に示すように、フード部２１の上面には、ロック部２５を挟んだ幅方向両側に、前後方向に延びる突条部２６が設けられている。図１に示すように、突条部２６は、フード部２１の両側面にも設けられ、さらにフード部２１の下面の幅方向中央部にも設けられている。
【００１６】
さて、ハウジング２０の後部側に配置された両保護壁２４には、図１及び図４に示すように、その下部から側方（各端子金具６０が位置する側とは反対側）に突出する角ブロック状の装着部２８が設けられている。図２に示すように、両保護壁２４の装着部２８には、倒れ規制部材８０を装着可能な装着孔２７が上下方向に貫通して設けられている。装着孔２７は、前後方向に細長いスリット状の開口形状を呈している。また、両保護壁２４の装着部２８の装着孔２７における前後両縁の上下方向途中には、前後方向に沿った段差面２９が設けられている。装着孔２７は、段差面２９を挟んで上部側が下部側よりも大きく開口する形状となっている。また、図３に示すように、両保護壁２４の装着部２８における上端面の幅方向外側（装着孔２７を挟んだ幅方向両側のうち、各端子金具６０が位置する側とは反対側）には、凹所３１が設けられている。図４に示すように、凹所３１は、装着部２８の上端面のうち、この凹所３１を挟んだ前後両側の領域よりも一段低くして配置され、且つ装着孔２７の開口上端部に連通して配置されている。
【００１７】
倒れ規制部材８０は、ハウジング２０の装着孔２７内に挿入可能なように前後方向に沿った金属製の平板からなる。具体的には、図２に示すように、倒れ規制部材８０は、前後方向に長い矩形板状の本体部８１と、本体部８１の下縁の前部側から下向きに突出するガイド片８２と、本体部８１の下縁の後部側から下向きに突出する係止片８３とを有している。
【００１８】
図２に示すように、本体部８１の前後両縁には、それぞれ、先鋭突起状の抜止突起８４が張り出して設けられている。また、本体部８１の下縁には、その前縁からガイド片８２につながるまでの間及びその後縁から係止片８３につながるまでの間に、前後方向に沿った段付き部８５が設けられている。倒れ規制部材８０が装着部２８の装着孔２７内に挿入されると、両段付き部８５が装着孔２７の両段差面２９に当て止めされて倒れ規制部材８０のそれ以上の挿入動作が規制され、且つ、両抜止突起８４が装着孔２７の上部側の前後両縁を食い込み状に係止することで倒れ規制部材８０の装着孔２７からの抜け出しが規制されるようになっている。また、図４に示すように、倒れ規制部材８０が装着孔２７内に正規深さで挿入されると、倒れ規制部材８０の上端部が凹所３１を通して視認可能となっている。
【００１９】
図２に示すように、係止片８３とガイド片８２とは、前後方向に並んで配置され、係止片８３の前縁からガイド片８２の後縁に至る部分が側面視Ｕ字形をなす形態になっている。倒れ規制部材８０がハウジング２０の装着孔２７内に正規深さで挿入されると、係止片８３とガイド片８２のそれぞれの先端部が装着孔２７から抜け出てハウジング２０の下方へ突出して配置される。そして、ハウジング２０の後部側が回路基板９０の表面に載置されると、図２に示すように、ハウジングの２０の下方に突出して配置された、係止片８３とガイド片８２のそれぞれの先端部が、回路基板９０に設けられた孔９２に一括して挿通されるようになっている。
【００２０】
図２に示すように、係止片８３の突出寸法は、ガイド片８２の突出寸法よりも大きくされ、係止片８３の下端は、ガイド片８２の下端よりも下方に位置している。また、ガイド片８２は、長さ方向（上下方向）の全長に亘って前後方向のいずれの方向にも突出する部分を有していないが、係止片８３は、その下端部に後方へ向けて突出する係止爪８６を有している。係止爪８６は、先鋭突起状をなし、その後縁が後方へ向けて次第に上り勾配となる案内縁８７とされ、その上縁が前後方向にほぼ沿った係止縁８８とされている。
【００２１】
次に、実施例の基板用コネクタ１０の作用について説明する。
図４に示すように、基板用コネクタ１０が回路基板９０の表面に載置される。すると、ハウジング２０の後部側が回路基板９０の表面に当接して支持される一方、ハウジング２０のうちの後部側を除く部分が回路基板９０の前端よりも前方に突出して配置される。このとき、ハウジング２０のフード部２１の下面に設けられた突条部２６の後縁が回路基板９０の前縁９１に当接又は近接して配置される。
【００２２】
また、ハウジング２０の両保護壁２４における装着部２８の装着孔２７内に抜け止め状態に挿入された倒れ規制部材８０の下端部が回路基板９０の孔９２内に挿通される。倒れ規制部材８０は、孔９２内への挿通過程で、係止爪８６の案内縁８７が回路基板９０の孔９２の後縁に摺接することで係止片８３が前方へ撓み変形させられるとともに、ガイド片８２が回路基板９０の孔９２の前縁に摺動して差し込まれることで倒れ規制部材８０の全体が孔９２内で傾動するのが規制される。その後、図２に示すように、倒れ規制部材８０が孔９２内に正規深さで挿通されると、係止片８３が弾性的に復帰して係止爪８６の係止縁８８が回路基板９０の裏面側における孔９２の後縁部９４に弾性的に係止される。
【００２３】
したがって、この段階（後述する樹脂封止する前の段階）で、ハウジング２０の前部側を下方へ変位させるような外力がハウジング２０に作用すると、係止爪８６の係止縁８８が回路基板９０の裏面側における孔９２の後縁部９４に前後方向にほぼ沿って当接し、ハウジング２０のそれ以上の前傾が規制される。その結果、ハウジング２０が前倒れするのが防止される。なお、回路基板９０の表面には、各端子金具６０の基板接続部６３と対応する位置に、図示しない半田が供給されている。
【００２４】
続いて、図示しないリフロー炉内で基板用コネクタ１０と回路基板９０の全体とが加熱される。すると、回路基板９０の表面に供給された半田が溶融されて各端子金具６０の基板接続部６３に付着し、基板接続部６３が回路基板９０の表面における回路に半田固定された状態で接続される。
【００２５】
次いで、図５に示すように、基板用コネクタ１０の後部側が回路基板９０とともに矩形箱状のケース５０内に挿入され、ケース５０内に、シリコン樹脂等の樹脂７０が充填される。これにより、回路基板９０の全体、各端子金具６０の引出部６２及びハウジング２０の後部側が樹脂７０で被覆された状態になる。その後、樹脂７０が硬化すると、ハウジング２０が樹脂７０を介して回路基板９０に固定される。このとき、ケース５０内の樹脂７０の表面７１からは各突条部２６を含むハウジング２０の前部側が前方に突出して配置され、ハウジング２０がケース５０内にて相手ハウジングと嵌合可能な状態に保持される。
【００２６】
以上説明したように、実施例によれば、倒れ規制部材８０が回路基板９０の孔９２に表面側から裏面側へと挿通され、裏面側において回路基板９０の孔９２の縁部に係止されることにより、回路基板９０に対するハウジング２０の前倒れが規制されるため、樹脂封止前に基板用コネクタ１０が回路基板９０に安定して支持される。
【００２７】
また、倒れ規制部材８０が金属板からなり、ハウジング２０の後部側に装着されるため、基板用コネクタ１０全体の重心が後部寄りに偏心して位置することとなり、ハウジング２０の前倒れがより確実に防止される。さらに、倒れ規制部材８０が、回路基板９０の孔９２の縁部のうちの後方に位置する後縁部９４に係止される係止爪８６を有しているため、ハウジング２０の前倒れがよりいっそう確実に防止される。
【００２８】
＜他の実施例＞
本発明は上記記述及び図面によって説明した実施例に限定されるものではなく、例えば次のような態様も本発明の技術的範囲に含まれる。
（１）ハウジングの前面（嵌合面）を除くハウジングの前部側もケース内で樹脂封止される構成であってもよい。
（２）半田方法は、リフロー半田ではなく、手半田によるものであってもよい。
（３）倒れ規制部材は合成樹脂製であってもよい。その場合、倒れ規制部材は、ハウジングと一体に取り付けられるものであってもよい。
（４）係止爪の上縁が、後端へ向けて上り勾配で傾斜するオーバハング状の形態となっていてもよい。
【符号の説明】
【００２９】
１０…基板用コネクタ
２０…ハウジング
２４…保護壁
２８…装着部
５０…ケース
７０…樹脂
８０…倒れ規制部材
８３…係止片
８６…係止爪
９０…回路基板
９２…孔
９４…後縁部
【図１】
2015079714.tif 000003
【図２】
2015079714.tif 000004
【図３】
2015079714.tif 000005
【図４】
2015079714.tif 000006
【図５】
2015079714.tif 000007